(57)【特許請求の範囲】
【請求項１】
干渉計配列中で基準光線とともに干渉を起こす測定光線を用いて物体を走査することによる横平面光学短コヒーレンス断層写真法のための方法であって、走査光線行程が、走査すべき物体の側でテレセントリックに走査するようにして、測定光線の光線行程に変化を与えず、走査を通じて引き起こされるであろう余分な干渉計出力信号の周波数変調を起こさないようにしたことを特徴とする横平面光学短コヒーレンス断層写真法のための方法。
【請求項２】
走査に利用される走査鏡（７’と７”）が、走査している測定光線（６）を物体上に焦点を結ばせる収束レンズ系（８）の焦点（１０）に取り付けられることを特徴とする請求項１に記載の写真法の実行のための配列。
【請求項３】
走査している測定光線（６）を物体上に焦点を結ばせる収束レンズ系（２５）が、ズームレンズ系として作られることを特徴とする請求項１に記載の写真法の実行のための配列。
【請求項４】
走査に利用される走査鏡（７’と７”）が、走査している測定光線（６）を物体上に焦点を結ばせる収束レンズ系（８または２５）の光軸の外の焦点面（２２）中に配列されることを特徴とする請求項１に記載の写真法の実行のための配列。
【発明の詳細な説明】
【０００１】
【発明の属する技術分野】
本発明は医学における光学的撮像の分野に関するものである。
【０００２】
【従来の技術】
横形光学コヒーレンス断層写真法によってある物体の横断面写真が、短コヒーレンス干渉計の測定光線が物体の表面上を面的に走査することによって、つまり例えば蛇行した線に沿ってか櫛形に走査することによって得られる。この走査方法は画面のｘ座標とｙ座標とを作り出す。ｘ，ｙ位置ごとに測定光線が物体中にｚ方向にも入射する。断層写真用短コヒーレンス干渉計を使用して深部位置ｚ０が定まり、そこから送り返された光が記録される。こうして物体の断層写真像Ｉ（ｘ，ｙ，ｚ０）が横方向に、つまり走査光線に垂直な方向に得られる。
【０００３】
このような横形光学コヒーレンス断層写真法は、初めて著者Ａ．Ｇｈ．ポドレアヌー、Ｇ．Ｍ．ドブレ、Ｄ．Ｊ．ウェッブ、Ｄ．Ａ．ジャクソンによってOptics Letters  ２１巻、１９９６年、1789-1791ページに記述された。これらの著者によって記述された方法は図４に簡略に示されている。
この図と以下の図中、数字と数の意味は、図４で光源１、例えばスーパールミネッセンスダイオードが、空間的にコヒーレントな光線２を時間的に短いコヒーレンスで発射する。この光線は改良型マイケルソン干渉計の分割鏡３に入る。分割鏡３は一つの部分光線４を基準光線として基準鏡５へ反射させる。分割鏡３を貫通した方の部分光線６は測定光線となる。これは互いに直交する回転軸をもつペア走査鏡７’と７”とによってレンズ系８を通って物体９に向けられ、これをｘ，ｙ方向に走査する。近似的にはペア走査鏡７’，７”は測定光線３を共通回転中心１０から他に向けるのだと考えることができる。
【０００４】
レンズ系８はペアの走査鏡７’，７”の回転中心１０を点１１に写す。物体９を走査する測定光線６はすべてこの点を通過する。物体９と基準鏡５とから送り返された、もしくは反射した光束は走査鏡７’，７”と分割鏡３とを通って光検出器１２に達し、そこで干渉する。ここで生じた光電干渉計の出力信号ＩＳは、雑音を減少させるためにそれに続く電子装置１３中で増幅され帯域フィルターをかけられた後、像信号Ｉ（ｘ，ｙ，ｚ０）として利用される。計算機１４が光電干渉計出力信号ＩＳの大きさを記録し、またそれがもっているｘ位置とｙ位置とをペアの走査鏡７’と７”の信号に基づいて記録する。このようにして作成された像は、計算機によってモニター１５上に表示され、または他の方法で出力される。
【０００５】
【発明が解決しようとする課題】
図４のような配列で平らな物体表面１６を写像すると、測定光線６の行程距離は変化する。この行程距離は球面表面１７（中心１１をもつ）であるなら一定であるが、平らな表面１６ではそうでない。測定光線の光学的行程距離は一つの平らな表面を走査が進行している間に明らかに変化するので、光検出器には増大させる干渉と減少させる干渉とが交互に現れることとなる。干渉計出力信号ＩＳは従って周波数変調を受ける。その結果干渉計信号中に作り出される周波数帯域幅は電子的な帯域フィルタリングを困難にする。
【０００６】
前記の著者らはそれゆえ彼らの発表の最終節で、測定光線を走査鏡の回転中心からずらすことによって干渉計信号により高い基本周波数を与え、それとともに相対的な周波数帯域幅を小さくすることができると述べている。しかしそうすることで周波数帯域幅の問題が完全に解決するわけではなく、その他に非対称な光線行程と、それに対応する写像誤差と歪んだ像表面とがもち上がる。しかしすぐ頭に浮かぶ理由から、平面の断層写真は特別な重要性をもっている。
【０００７】
【課題を解決するための手段】
本発明はそれゆえ方法と配列とを述べ、これによって
１．平らな物体表面を測定光線の光学的行程を変えずに走査することができ、
２．光電干渉計出力信号ＩＳの周波数が一定のままであり、このことから最適の雑音フィルタリングが可能となる。
【０００８】
【発明の実施の形態】
本発明に則した第１の配列を図１に示す。
ここでも光源１、例えばスーパールミネッセンスダイオードは、空間的にコヒーレントな平行光線２を短い時間的コヒーレンスで発射する。この光線は、短コヒーレンス干渉計として改良されたマイケルソン干渉計の分割鏡３に入る。分割鏡３は光線ビーム２を測定光線６と基準光線４とに分ける。
【０００９】
基準光線４は基準鏡５に向けて反射し、そこにおいて例えば音響光学周波数変調器を通過する。音響光学周波数変調器が属する技術水準には定評がある。この変調器は例えば透明な石英ガラスブロック１８と、組み合わされた音響発生器１９とから成る。音響発生器は交流電圧源２０によって駆動される。石英ガラスブロック１８を通って流れる音波はこの中に音速で動くブラッグ回折格子を作り出す。基準光線４はこの格子の中で前進後退運動と共に回折し、それと共に同時にΔνだけの光周波数のドップラー偏移を経験する。他にも、技術の状況に対応する基準光線ビームの周波数偏移のための方法が、例えば電子光学的なものが、投入できる。さらに、基準光線４の代わりに測定光線６の中にも周波数偏移のための装置を配置することができる。
【００１０】
測定光線６は、次に、回転軸が互いに直交している、ペア走査鏡７’と７”に入る。ペア走査鏡７’と７”の共通の回転中心１０は、本発明に従えば、収束レンズ系８の焦点面２２に、例えば焦点２１に、配置される。こうすることで物体側テレセントリック光線行程が得られる。平行な測定光線ビーム６はいま収束レンズ系８によって物体側焦点面２２’に焦点を結び、このことは図１で、時間的に前後して占めた光線の３つの位置６’，６”，６'''で示唆されている。ここでは光学的行程はすべて、焦点２１から物体側焦点面２２’までで、長さが等しい。それゆえ平らな表面、ここでは焦点面２２’を走査する際には、測定光線６の光学的行程に変化がなく、干渉計信号に余分な周波数変調が起きることもないということとなる。第２図の配列では、物体２３の表面２３’は焦点面２２’にある。ペア走査鏡７’と７”を使用することによって、このように表面２３’の平らな領域を走査することができる。
【００１１】
干渉計出力には、周波数偏倚した基準光が物体から返された測定光と干渉する。その結果として強度は周波数Δνで振動するので、帯域フィルタリングが可能になる。そのとき、小さい時間コヒーレンスの光源を使用したため、コヒーレンス距離の内部で等しい光学的行程距離を進んだ基準光と測定光との部分光のみが干渉可能であるということを、考慮しなければならない。それゆえ光線分割器３から写像平面２３’までと、そこから光線分割器３まで戻る光学的行程距離は、光線分割器３から基準鏡５までとそこから光線分割器３まで戻る光学的行程距離に等しい長さでなければならない。従って基準光線行程中の基準鏡５の位置は、写像される平面２３’のｚ位置を決定する。他の物体平面を写像するためには、物体２３を光線方向に押しやるか、基準鏡５を、例えば５’の位置に押しやるかすると物体平面２３”が写像できる。
【００１２】
例えば平面２３”のような他の物体平面を写像するために、単に基準鏡だけを押しやると、測定光線は平面２３”に焦点を結ばず、平面２３’に結ぶため、横解像度が悪くなる。
この欠点を避けるためには、収束レンズ系８をズームレンズ系２５として作るとよい。いまズームレンズ系２５の焦点距離を−固定焦点２１に変えると、物体を押しやることなしに、高解像度の平面の横形断層写真がさまざまな物体平面から撮れる。これは図２のとおりである。図１の配列と違って、図２に示した例のズームレンズ系２５は、収束レンズ系８より大きな焦点距離をもっている。それに対応して、物体２３の深いところにある平面２３”が写像される。同時に、もちろん基準鏡５は、基準光線と測定光線との行程距離を等しくするために、対応する位置５”に押しやられなければならない。
【００１３】
さらに改良することによって、横形断層写真法が任意の角度でも可能となる。
これは第３図の配列で示される。ペアの走査鏡７’と７”の回転中心１０を収束レンズ系８の光軸２６からずらす−そしてそれとともに、焦点面２２中にあるままにする−と、対応する傾いた断面２７または２７’が写像される。
【図面の簡単な説明】
【図１】  本発明第１実施例の光学配列
【図２】  本発明横形断層写真法の配列
【図３】  本発明の角度を有する横形断層写真法の配列
【図４】  従来の光学配列
【符号の説明】
１  光源
２  光線
３  分割鏡
４  部分光線
５  基準光線
６  部分光線
７  ペア走査鏡
８  レンズ系
９  物体
１０  回転中心
１１  点
１２  光検出器
１３  電子装置
１４  計算機
１５  モニター
１６  物体表面
１７  球面表面
２０  交流電圧源
２１  焦点
２２  焦点面
２３  物体
２５  ズームレンズ系
２６  光軸
２７  断面
ＩＳ  干渉計出力信号
【図１】
0004024390.tif 000002
【図２】
0004024390.tif 000003
【図３】
0004024390.tif 000004
【図４】
0004024390.tif 000005